(57)【要約】      （修正有）【課題】予約録画に対する多様な要望に応えることが可能な番組録画装置及び番組録画方法を提供する。【解決手段】番組録画装置は、第１の操作時間に基づき第１の録画予約モードの実行を指示し、第１の操作時間より長い第２の操作時間に基づき第２の録画予約モードの実行を指示する録画予約指示手段と、第１の録画予約モードの実行に基づき第１の録画予約情報を表示する表示手段と、第１の録画予約情報を設定する第１の録画予約設定手段と、第２の録画予約モードの実行に基づき第２の録画予約情報を外部表示部に対して出力する出力手段と、第２の録画予約情報を設定する第２の録画予約設定手段と、第１又は第２の録画予約情報に基づき録画を制御する録画制御手段とを備えている。【選択図】図１
2010165409.tif 000002
【特許請求の範囲】
【請求項１】
第１の操作時間に基づき第１の録画予約モードの実行を指示し、前記第１の操作時間より長い第２の操作時間に基づき第２の録画予約モードの実行を指示する録画予約指示手段と、
前記第１の録画予約モードの実行に基づき第１の録画予約情報を表示する表示手段と、
前記第１の録画予約情報の設定操作に基づき前記第１の録画予約情報を設定する第１の録画予約設定手段と、
前記第２の録画予約モードの実行に基づき第２の録画予約情報を外部表示部に対して出力する出力手段と、
前記第２の録画予約情報の設定操作に基づき前記第２の録画予約情報を設定する第２の録画予約設定手段と、
前記第１の録画予約設定手段による前記第１の録画予約情報の設定操作に基づき前記第１の録画予約情報を設定し前記第１の録画予約情報に基づき録画を制御し、前記第２の録画予約設定手段による前記第２の録画予約情報の設定操作に基づき前記第２の録画予約情報を設定し前記第２の録画予約情報に基づき録画を制御する録画制御手段と、
前記録画制御手段の録画制御に基づき番組を録画する録画手段と、
を備えたことを特徴とする番組録画装置。
【請求項２】
前記録画予約指示手段は、第１の押下時間に基づき前記第１の録画予約モードの実行を指示し、前記第１の押下時間より長い第２の押下時間に基づき前記第２の録画予約モードの実行を指示することを特徴とする請求項１に記載の番組録画装置。
【請求項３】
前記録画予約指示手段は、前記第１の操作時間に基づき電源オンと前記第１の録画予約モードの実行を指示し、前記第２の操作時間に基づき電源オンと前記第２の録画予約モードの実行を指示することを特徴とする請求項１に記載の番組録画装置。
【請求項４】
前記第１の録画予約設定手段は、前記番組録画装置の筐体に設けられたキーであり、
前記第２の録画予約設定手段は、前記番組録画装置に付属のリモートコントローラに設けられたキーであることを特徴とする請求項１に記載の番組録画装置。
【請求項５】
前記リモートコントローラは、入力操作に基づき前記第２の録画予約モードの実行を指示する第２の録画予約モード指示手段を含むことを特徴とする請求項４に記載の番組録画装置。
【請求項６】
前記録画予約指示手段は、前記第１の録画予約モードの実行中における、前記第２の操作時間に基づき前記第１の録画予約モードをキャンセルし前記第２の録画予約モードの実行を指示することを特徴とする請求項１に記載の番組録画装置。
【請求項７】
前記表示手段は、前記第２の録画予約モードの実行に基づき前記第２の録画予約情報を表示し、
前記第１の録画予約設定手段及び前記第２の録画予約手段の何れも、前記第２の録画予約モードの実行時に、前記第２の録画予約情報の設定操作を受け付ける、
ことを特徴とする請求項１に記載の番組録画装置。
【請求項８】
第１の操作時間に基づき第１の録画予約モードの実行を指示し、又は前記第１の操作時間より長い第２の操作時間に基づき第２の録画予約モードの実行を指示し、
前記第１の録画予約モードの実行に基づき第１の録画予約情報を表示し、又は前記第２の録画予約モードの実行に基づき第２の録画予約情報を外部表示部に対して出力し、
前記第１の録画予約情報の設定操作に基づき前記第１の録画予約情報を設定し、又は前記第２の録画予約情報の設定操作に基づき前記第２の録画予約情報を設定し、
前記第１の録画予約情報に基づき番組の録画を制御し、又は前記第２の録画予約情報に基づき番組の録画を制御する、
ことを特徴とする番組録画方法。
【発明の詳細な説明】
【技術分野】
【０００１】
本発明は、録画予約情報に基づき番組を録画する番組録画装置及び番組録画方法に関する。
【背景技術】
【０００２】
曜日、開始時間、終了時間、及びチャンネルなどを含む録画予約情報に基づき、番組を録画する番組予約装置が開示されている（特許文献１参照）。この番組予約装置は、予約ボタンが配置された操作パネル及び表示部を備えており、予約ボタンの押下に対応して履歴データリストの中から予約データを読み出し、予約データ中の曜日、開始時間、終了時間、及びチャンネルを表示する。ユーザは、操作パネルを介して、表示された曜日、開始時間、終了時間、及びチャンネルを任意に変更するだけで、録画予約の設定を完了することができる。
【０００３】
また、近年では、録画予約設定をより簡単にするために、電子番組ガイド（ＥＰＧ）を利用した番組予約が可能な番組録画機器が登場している。電子番組ガイドは、ＴＶ放送又はネットワークを介して取得することができ、各チャンネルの各番組の放送スケジュール（放送開始時間及び放送終了時間など）を含む。番組録画機器は、電子番組ガイドに基づき番組ガイドを表示するための番組ガイド表示情報を出力することができ、ＴＶ等の外部ディスプレイはこの番組ガイド表示情報に基づき番組ガイドを表示することができる。
【０００４】
外部ディスプレイで表示される番組ガイドは、各チャンネルの各番組の放送スケジュールを含む。ユーザは、番組録画機器に付属のリモートコントローラ等を利用し、放送スケジュールの中から録画したい番組（録画したい番組の欄）を選択するだけで、録画予約を設定することができる。
【特許文献１】特開平１１−２８３２９２
【発明の開示】
【発明が解決しようとする課題】
【０００５】
上記したように様々な予約録画機器が登場しているが、近年、予約録画に対する要望は多様化しており、一部のユーザが装置本体だけでの簡単な録画予約を要望したり、別のユーザが外部ディスプレイを利用した録画予約を要望したりしている。
【０００６】
上記した特許文献１には、装置本体による録画予約に関する技術が開示されているに過ぎず、上記したような多様な要望に応えることはできない。
【０００７】
本発明の目的は、予約録画に対する多様な要望に応えることが可能な番組録画装置及び番組録画方法を提供することにある。
【課題を解決するための手段】
【０００８】
この発明の一実施形態に係る番組録画装置は、第１の操作時間に基づき第１の録画予約モードの実行を指示し、前記第１の操作時間より長い第２の操作時間に基づき第２の録画予約モードの実行を指示する録画予約指示手段と、前記第１の録画予約モードの実行に基づき第１の録画予約情報を表示する表示手段と、前記第１の録画予約情報の設定操作に基づき前記第１の録画予約情報を設定する第１の録画予約設定手段と、前記第２の録画予約モードの実行に基づき第２の録画予約情報を外部表示部に対して出力する出力手段と、前記第２の録画予約情報の設定操作に基づき前記第２の録画予約情報を設定する第２の録画予約設定手段と、前記第１の録画予約設定手段による前記第１の録画予約情報の設定操作に基づき前記第１の録画予約情報を設定し前記第１の録画予約情報に基づき録画を制御し、前記第２の録画予約設定手段による前記第２の録画予約情報の設定操作に基づき前記第２の録画予約情報を設定し前記第２の録画予約情報に基づき録画を制御する録画制御手段と、前記録画制御手段の録画制御に基づき番組を録画する録画手段と、を備えている。
【０００９】
この発明の一実施形態に係る番組録画方法は、第１の操作時間に基づき第１の録画予約モードの実行を指示し、又は前記第１の操作時間より長い第２の操作時間に基づき第２の録画予約モードの実行を指示し、前記第１の録画予約モードの実行に基づき第１の録画予約情報を表示し、又は前記第２の録画予約モードの実行に基づき第２の録画予約情報を外部表示部に対して出力し、前記第１の録画予約情報の設定操作に基づき前記第１の録画予約情報を設定し、又は前記第２の録画予約情報の設定操作に基づき前記第２の録画予約情報を設定し、前記第１の録画予約情報に基づき番組の録画を制御し、又は前記第２の録画予約情報に基づき番組の録画を制御する。
【発明の効果】
【００１０】
本発明によれば、予約録画に対する多様な要望に応えることが可能な番組録画装置及び番組録画方法を提供できる。
【発明を実施するための最良の形態】
【００１１】
以下、図面を参照し、本発明の実施形態について説明する。
【００１２】
図２は、本発明の一実施形態に係る映像記録再生装置（番組録画装置）の概略構成を示すブロック図である。図２に示すように映像記録再生装置１００は、本体キー入力部１、本体表示部３、サブ制御モジュール４、メイン制御モジュール５、電源部６、データ蓄積部７、チューナー部８、光ディスクドライブ９、ＨＤＤ（ハードディスクドライブ）１０を備えている。
【００１３】
サブ制御モジュール４は、本体キー入力検出モジュール４１、リモートコントローラキー入力検出モジュール４２、電源制御モジュール４３を備えている。また、メイン制御モジュール５は、記録処理モジュール５１、映像、音声処理モジュール５２、映像音声入出力制御モジュール５３を備えている。
【００１４】
例えば、図４に示すように、本体キー入力部１は、電源キー１１、予約キー１２、設定キー１３、取出しキー１４などが設けられている。ユーザは、本体キー入力部１に対する入力操作により、映像記録再生装置１００の動作を制御することができる。
【００１５】
電源キー１１は、映像記録再生装置１００の電源オン／オフを指示するためのキーである。電源キー１１が押下されると、電源キー１１の押下がサブ制御モジュール４の本体キー入力検出モジュール４１により検出され、サブ制御モジュール４の電源制御モジュール４３が電源部６に対して電源オン／オフの切り替えを通知する。電源部６は、電源オフ状態であれば電源をオンし、電源オン状態であれば電源をオフする。
【００１６】
図１に示すように、予約キー１２は、映像記録再生装置１００の電源オン状態（状態Ａ）では、第１の操作時間（短押し）に対応して録画予約モードＭ１の実行を指示し、映像記録再生装置１００の電源オフ状態（状態Ａ）では、第１の操作時間（短押し）に対応して電源オンと録画予約モードＭ１の実行を指示する。
【００１７】
また、予約キー１２は、映像記録再生装置１００の電源オン状態（状態Ａ）では、第１の操作時間より長い第２の操作時間（例えば３秒程度の長押し）に対応して録画予約モードＭ２の実行を指示し、映像記録再生装置１００の電源オフ状態（状態Ａ）では、第２の操作時間（例えば３秒程度の長押し）に対応して電源オンと録画予約モードＭ１の実行を指示する。
【００１８】
また、予約キー１２は、録画予約モードＭ１の実行状態（状態Ｂ）では、第２の操作時間（例えば３秒程度の長押し）に対応して録画予約モードＭ１の終了（キャンセル）と録画予約モードＭ２の実行を指示する。また、予約キー１２は、録画予約モードＭ１の実行状態（状態Ｂ）では、第１の操作時間（短押し）に対応して録画予約モードＭ１の終了（キャンセル）を指示し、録画予約モードＭ１、Ｍ２の何れも実行しない状態（状態Ａ）へ移行する。
【００１９】
さらに、予約キー１２は、録画予約モードＭ２の実行状態（状態Ｃ）では、第１の操作時間（短押し）に対応して録画予約モードＭ２の終了（キャンセル）を指示し、録画予約モードＭ１、Ｍ２の何れも実行しない状態（状態Ａ）へ移行する。
【００２０】
上記をさらに詳しく説明すると、サブ制御モジュール４による状態Ａ及び電源オフの検出中に、予約キー１２が短押しされると、予約キー１２の短押しがサブ制御モジュール４の本体キー入力検出モジュール４１により検出され、電源制御モジュール４３が電源部６に対して電源オンを通知し、電源部６は電源をオンし、さらに、制御モジュール４は録画予約モードＭ１の実行をメイン制御モジュール５へ通知し、メイン制御モジュール５の記録処理モジュール５１は録画予約モードＭ１を実行する。サブ制御モジュール４による状態Ａ及び電源オンの検出中に、予約キー１２が短押しされると、予約キー１２の短押しがサブ制御モジュール４の本体キー入力検出モジュール４１により検出され、制御モジュール４は録画予約モードＭ１の実行をメイン制御モジュール５へ通知し、メイン制御モジュール５の記録処理モジュール５１は録画予約モードＭ１を実行する。
【００２１】
サブ制御モジュール４による状態Ａ及び電源オフの検出中に、予約キー１２が長押しされると、予約キー１２の長押しがサブ制御モジュール４の本体キー入力検出モジュール４１により検出され、電源制御モジュール４３が電源部６に対して電源オンを通知し、電源部６は電源をオンし、さらに、制御モジュール４は録画予約モードＭ２の実行をメイン制御モジュール５へ通知し、メイン制御モジュール５の記録処理モジュール５１は録画予約モードＭ２を実行する。サブ制御モジュール４による状態Ａ及び電源オンの検出中に、予約キー１２が長押しされると、予約キー１２の長押しがサブ制御モジュール４の本体キー入力検出モジュール４１により検出され、制御モジュール４は録画予約モードＭ２の実行をメイン制御モジュール５へ通知し、メイン制御モジュール５の記録処理モジュール５１は録画予約モードＭ２を実行する。
【００２２】
サブ制御モジュール４による状態Ｂの検出中に、予約キー１２が短押しされると、予約キー１２の短押しがサブ制御モジュール４の本体キー入力検出モジュール４１により検出され、サブ制御モジュール４は録画予約モードの終了をメイン制御モジュール５へ通知し、メイン制御モジュール５の記録処理モジュール５１は録画予約モードＭ１を終了する。サブ制御モジュール４による状態Ｂの検出中に、予約キー１２が長押しされると、予約キー１２の長押しがサブ制御モジュール４の本体キー入力検出モジュール４１により検出され、サブ制御モジュール４は録画予約モードＭ２の実行をメイン制御モジュール５へ通知し、メイン制御モジュール５の記録処理モジュール５１は録画予約モードＭ２を実行する。
【００２３】
サブ制御モジュール４による状態Ｃの検出中に、予約キー１２が短押しされると、予約キー１２の短押しがサブ制御モジュール４の本体キー入力検出モジュール４１により検出され、サブ制御モジュール４は録画予約モードＭ２の終了をメイン制御モジュール５へ通知し、メイン制御モジュール５の記録処理モジュール５１は録画予約モードＭ２を終了する。
【００２４】
設定キー１３は、上下方向キー、左右方向キー、決定キー等により構成されており、後述する録画予約情報の設定等に利用される。設定キー１３（上下方向キー、左右方向キー、決定キー）が押下されると、設定キー１３の押下がサブ制御モジュール４の本体キー入力検出モジュール４１により検出され、サブ制御モジュール４は設定キー１３の押下に対応した指示をメイン制御モジュール５へ通知する。設定キー１３を利用した、録画予約情報の設定等については後に詳しく説明する。
【００２５】
取出しキー１４は、光ディスクドライブ９の光ディスクトレイの出し入れを指示するためのキーである。取出しキー１４の押下に対応して、光ディスクトレイが排出されたり、取り込まれたりする。取出しキー１４の押下に対応した信号処理の詳細については上記と同様であり、ここではその詳細説明は省略する。
【００２６】
上記した本体キー入力部１の他に、ユーザは、リモートコントローラ２に対する入力操作により、映像記録再生装置１００の動作を制御することもできる。図６は、リモートコントローラ２のキー配列の一例を示す図であり、図６に示すように、リモートコントローラ２は、電源キー２１、予約キー２２、設定キー２３、開閉キー２４、放送切換キー２５、ドライブ切換キー２６、早戻しキー２７ａ、再生キー２７ｂ、早送りキー２７ｃ、停止キー２７ｄ、一時停止キー２７ｅ、録画キー２８などを備えている。なお、図６は、リモートコントローラ２のキー配列の一部を示す図であり、リモートコントローラ２は上記したキー以外にも多数のキーを備えている。
【００２７】
電源キー２１は、映像記録再生装置１００の電源オン／オフを指示するためのキーである。電源キー２１が押下されると、電源キー２１の押下がサブ制御モジュール４のリモートコントローラキー入力検出モジュール４２により検出され、サブ制御モジュール４の電源制御モジュール４３が電源部６に対して電源オン／オフの切り替えを通知する。電源部６は、電源オフ状態であれば電源をオンし、電源オン状態であれば電源をオフする。
【００２８】
図１に示すように、予約キー２２は、映像記録再生装置１００の電源オフ状態又は電源オン状態で、押下操作（短押し）に対応して、録画予約モードＭ２の実行を指示する。予約キー２２が押下されると、予約キー２２の押下がサブ制御モジュール４のリモートコントローラ入力検出モジュール４２により検出され、サブ制御モジュール４は録画予約モードの実行をメイン制御モジュール５へ通知し、メイン制御モジュール５の記録処理モジュール５１は録画予約モードＭ２を実行する。
【００２９】
また、予約キー２２は、録画予約モードＭ２の実行状態（状態Ｃ）では、押下操作（短押し）に対応して録画予約モードＭ２の終了（キャンセル）を指示し、録画予約モードＭ１、Ｍ２の何れも実行しない状態（状態Ａ）へ移行する。なお、録画予約モードＭ１の実行状態（状態Ｂ）で予約キー１２が押下操作されても、押下操作は無効であり、録画予約モードＭ１の実行状態が維持される。
【００３０】
設定キー２３は、上下方向キー、左右方向キー、決定キー等により構成されており、各種設定等に利用される。設定キー２３（上下方向キー、左右方向キー、決定キー）が押下されると、設定キー２３の押下がサブ制御モジュール４のリモートコントローラ入力検出モジュール４２により検出され、制御モジュール４は設定キー２３の押下に対応した指示をメイン制御モジュール５へ通知する。
【００３１】
開閉キー２４は、光ディスクドライブ９の光ディスクトレイの出し入れを指示するためのキーである。取出しキー２４の押下に対応して、光ディスクトレイが排出されたり、取り込まれたりする。取出しキー２４の押下に対応した信号処理の詳細については上記と同様であり、ここではその詳細説明は省略する。
【００３２】
放送切換キー２５は、地上デジタル放送、ＢＳ放送、ＣＳ放送の切り換えを指示する。例えば、チューナー部８は、地上デジタル放送用のチューナー、ＢＳ／ＣＳ用のチューナーを備える。地上デジタル放送への切り換え指示に基づき、映像、音声入出力制御モジュール５３は、チューナー部８の地上デジタル放送用のチューナーからの映像、音声信号をモニター２００へ出力する。ＢＳ放送／ＣＳ放送への切り換え指示に基づき、映像、音声入出力制御モジュール５３は、チューナー部８のＢＳ／ＣＳ用のチューナーからの映像、音声信号を外部モニター２００へ出力する。
【００３３】
ドライブ切換キー２６は、光ディスクドライブ９とＨＤＤ１０の切り換えを指示する。光ディスクドライブ９への切り換え指示に基づき、映像、音声入出力制御モジュール５３は、光ディスクドライブ９からの映像、音声信号をモニター２００へ出力する。ＨＤＤ１０への切り換え指示に基づき、映像、音声入出力制御モジュール５３は、ＨＤＤ１０からの映像、音声信号をモニター２００へ出力する。
【００３４】
早戻しキー２７ａは、再生中の番組の早戻しを指示する。再生キー２７ｂは、選択した番組の再生を指示する。早送りキー２７ｃは、再生中の番組の早送りを指示する。録画キー２８は、選局中の番組の録画を指示する。停止キー２７ｄは、再生又は録画の停止を指示する。一時停止キー２７ｅは、再生中の番組の再生一時停止を指示する。
【００３５】
映像、音声処理モジュール５２は、早戻しの指示に基づき再生中の番組の早戻しを制御し、再生指示に基づき選択した番組の再生を制御し、早送りの指示に基づき再生中の番組の早送りを制御し、停止指示に基づき番組の再生の停止を制御し、一時停止指示に基づき番組の再生の一時停止を制御する。記録処理モジュール５１は、録画の指示に基づき選局中の番組の録画を制御する。
【００３６】
また、映像、音声処理モジュール５２は、チューナー部８を介して入力される放送信号に含まれる電子番組ガイドを取得することができ、取得した電子番組ガイドに基づき番組ガイドを表示するための番組ガイド表示情報を生成することができる。映像、音声入出力制御モジュール５３は、番組ガイド表示情報をモニター２００へ出力することができ、これにより、モニター２００は番組ガイド表示情報に基づき番組ガイドを表示することができる。モニター２００で表示される番組ガイドは、各チャンネルの各番組の放送スケジュールを含み、ユーザは、リモートコントローラ２等を利用し、放送スケジュールの中から録画したい番組（録画したい番組の欄）を選択するだけで、録画予約を設定することができる。録画予約の設定は、記録処理モジュール５１により管理される。
【００３７】
次に、図４を参照して、本体表示部３について説明する。図４に示すように本体表示部３は、第１の表示エリア３１及び第２の表示エリア３２を備えている。第１の表示エリア３１は、例えば、録画予約情報に含まれる曜日、放送種別（地上デジタル放送／ＢＳ放送／ＣＳ放送）、チャンネル番号、日時（録画日及び録画開始時刻など）、カレントエンコーダを表示する。例えば、記録処理モジュール５１が第１、第２のエンコードを備えている場合であって、第１のエンコーダが選択されていればカレントエンコーダとして第１のエンコーダの選択が表示され、第２のエンコーダが選択されていればカレントエンコーダとして第２のエンコーダの選択が表示される。
【００３８】
第２の表示エリア３２は、チャンネル番号に対応した放送局名、録画番組タイトルを表示する。なお、本体表示部３は、映像記録再生装置１００の筐体の前面の一部に配置されるため、表示エリアは比較的狭い。そのため、第２の表示エリア３２の表示エリアも比較的狭く、第２の表示エリア３２は、録画番組タイトルの全てを同時に表示できない場合がある。このような場合、第２の表示エリア３２は、録画番組タイトルをスクロール表示し、録画番組タイトルの未表示部分を順に表示する。
【００３９】
次に、録画予約モードＭ１について説明する。
【００４０】
録画予約モードＭ１の実行に基づき、本体表示部３がアクティブな状態になり、本体表示部３に録画予約候補情報（第１の録画予約情報）が表示される。この場合、映像、音声入出力制御モジュール５３は、録画予約候補情報をモニター２００へ出力しない。つまり、モニター２００を利用することなく本体表示部３だけで録画予約を設定することができる。これにより、モニター２００が電源オン状態でなくても、録画予約を設定することができる。また、モニター２００により番組を視聴している場合には、番組視聴を妨げることなく、録画予約を設定することができる。同様に、モニター２００により録画中の番組が表示されている場合でも、録画予約を設定することができる。
【００４１】
記録処理モジュール５１が、チャンネル番号選局履歴、現在日時、電子番組ガイドに基づき上記した録画予約候補情報を生成する。例えば、直前に地上デジタル放送のチャンネル番号１が選局されており、現在日時が１月１日の７：００であり、電子番組ガイド上で地上デジタル放送のチャンネル番号１の１月１日の７：００（例えば６：００〜７：５４）に番組タイトル「おはよう」の放送が示されている場合には、録画予約候補情報は地上デジタル放送、チャンネル番号１、チャンネル番号１の放送局名、番組タイトル「おはよう」を含み、図４に示すように、本体表示部３に録画予約候補情報が表示される。
【００４２】
本体表示部３に表示された録画予約候補情報で示された番組を録画したい場合には、ユーザは、設定キー１３の決定キーを押下する。これに対応して、表示エリア３２には、例えば「番組を予約しました」のメッセージが表示される。記録処理モジュール５１は、録画予約候補情報をそのまま登録し、録画予約候補情報に基づく録画を制御する。このケースでは、直ちに、番組タイトル「おはよう」の録画が開始され、例えば、ＨＤＤ１０によりハードディスクに対して番組データ（映像、音声）が記録される。なお、予め記録先として光ディスクを指定することにより、光ディスクドライブ９により光ディスクに対して番組データを記録することもできる。
【００４３】
本体表示部３に表示された録画予約候補情報で示された番組と異なる番組を録画したい場合には、ユーザは、設定キー１３を利用して、録画したい番組を設定する。例えば、設定キー１３の左右方向キーの押下により、第１の表示エリア３１中の曜日設定項目、放送種別設定項目、チャンネル番号設定項目、日時設定項目が順に選択される。例えば、選択中の項目表示は点滅する。曜日設定項目を選択した状態で（曜日設定項目の表示が点滅した状態で）、設定キー１３の上下方向キーが押下されると、曜日設定項目には、例えば毎週月曜日、毎週火曜日、…、毎週日曜日、月曜〜金曜日、月曜〜土曜日、土曜と日曜、毎日などが表示される。放送種別設定項目を選択した状態で、設定キー１３の上下方向キーが押下されると、放送種別設定項目には、例えば地上デジタル放送、ＢＳ放送、ＣＳ放送などが順に表示される。チャンネル番号設定項目を選択した状態で、設定キー１３の上下方向キーが押下されると、チャンネル番号設定項目には、例えば１ｃｈ、２ｃｈ、４ｃｈ、…、７ｃｈなどが順に表示される。日時設定項目を選択した状態で、設定キー１３の上下方向キーが押下されると、日時設定項目に表示された日時が未来の日時又は過去の日時へ遷移する。
【００４４】
第２の表示エリア３２中のチャンネル番号に対応した放送局名の表示、番組タイトルの表示は、第１の表示エリア３１中の表示に対応して遷移する。例えば、第１の表示エリア３１の表示が地上デジタル放送、４ｃｈ、１月２日、９：００に設定されると、第２の表示エリア３２には、地上デジタル放送の４ｃｈに対応した放送局名が表示され、地上デジタル放送、４ｃｈ、１月２日、９：００に放送されている番組タイトルが表示される。つまり、ユーザは、第１の表示エリア３１中の各項目を上下キーで設定するだけで、第２の表示エリア３２に表示される番組タイトルを確認することができる。
【００４５】
本体表示部３の表示エリア３２に録画したい番組タイトルが表示されたとき、ユーザは、設定キー１３の決定キーを押下する。これに対応して、表示エリア３２には、例えば「番組を予約しました」のメッセージが表示される。記録処理モジュール５１は、本体表示部３に表示された録画予約情報（第１の録画予約情報）を登録し、録画予約情報に基づく録画を制御する。例えば、ＨＤＤ１０によりハードディスクに対して番組データ（映像、音声）が記録される。なお、予め記録先として光ディスクを指定することにより、光ディスクドライブ９により光ディスクに対して番組データを記録することもできる。
【００４６】
決定キー１３の押下後は、さらに、録画予約を受け付けることを示すために、例えば、第１の表示エリア３１中の曜日設定項目の表示が点滅する。
【００４７】
例えば、録画予約モードＭ１の実行中は、本体キー入力部１（設定キー１３等）が録画予約設定に使用され、リモートコントローラ２の各キーによる入力を無効とする。
【００４８】
次に、録画予約モードＭ２について説明する。録画予約モードＭ２の実行に基づき、録画予約モードＭ１の実行と同様に、本体表示部３がアクティブな状態になり、本体表示部３に録画予約候補情報（第２の録画予約情報）が表示され、さらに映像、音声入出力制御モジュール５３の制御によりモニター２００にも録画予約候補情報（第２の録画予約情報）が表示される。
【００４９】
本体表示部３による録画予約候補情報の表示については、録画予約モードＭ１の実行時の表示と同じであり、その詳細説明は省略する。モニター２００による録画予約候補情報の表示は、例えば、図５に示す通りである。図４と図５を参照すると、本体表示部３による録画予約候補情報の表示内容とモニター２００による録画予約候補情報の表示内容とは基本的に同じであるが、情報量が異なる場合がある。例えば、本体表示部３では録画番組タイトルの一部が表示されているのに対して、モニター２００では録画番組タイトルの全部が表示されている。なお、録画番組タイトルが長くない場合には、本体表示部３でも録画番組タイトルの全部を表示することができる。また、本体表示部３の表示が更新されると、連動して、モニター２００の表示も更新される。録画予約モードＭ２の実行中は、本体キー入力部１（設定キー１３等）を録画予約設定に使用することができ、リモートコントローラ２の各キーも録画予約設定に使用することができる。これにより、設定キー１３又は設定キー２３により各種情報を設定することができ、この設定により更新された表示が本体表示部３及びモニター２００で反映される。
【００５０】
ここで、図３を参照し、本体キー入力部１の予約キー１２、リモートコントローラ２の予約キー２２、録画予約モードＭ１、録画予約モードＭ２の関係についてまとめる。図３に示すように、本体キー入力部１の予約キー１２の短押しに対応して録画予約モードＭ１が実行され、本体キー入力部１の予約キー１２の長押しに対応して録画予約モードＭ２が実行される。また、リモートコントローラ２の予約キー２２の押下に対応して録画予約モードＭ２が実行される。録画予約モードＭ１又は録画予約モードＭ２の実行時には本体キー入力部１の設定キー１３等により各種情報を設定することができ、録画予約モードＭ２の実行時には本体キー入力部１の設定キー１３等又はリモートコントローラ２の設定キー２３等により各種情報を設定することができる。
【００５１】
次に、図７に示すフローチャートを参照して、本体キー入力部１の予約キー１２、リモートコントローラ２の予約キー２２、録画予約モードＭ１、録画予約モードＭ２の関係について説明する。
【００５２】
図７に示すように、映像記録再生装置１００が電源オフ状態である場合、つまりサブ制御モジュール４又はメイン制御モジュール５のタイマーマイクロコンピュータに通電された状態である場合、或いは、映像記録再生装置１００が電源オン状態である場合に、本体キー入力部１の予約キー１２が短押しされると（ＳＴ１０１）（ＳＴ１０２、ＹＥＳ）（ＳＴ１０３、ＹＥＳ）、録画予約モードＭ１が起動し、本体表示部３は録画予約候補情報（第１の録画予約情報）を表示する（ＳＴ１０４）。本体キー入力部１の設定キー１３等の押下により録画予約情報が設定されると（ＳＴ１０５）（ＳＴ１０６、ＹＥＳ）、本体表示部３は設定された録画予約情報を表示し（ＳＴ１１１）、記録処理モジュール５１は設定された録画予約情報に基づく録画を制御する（ＳＴ１１３）。
【００５３】
録画予約モードＭ１が起動し、本体表示部３は録画予約候補情報を表示した状態で（ＳＴ１０４）、リモートコントローラ２の設定キー２３等が押下されても（ＳＴ１０６、ＮＯ）、録画予約情報を設定することはできず、例えば本体表示部３は「リモートコントローラによる録画予約設定は無効です／リモートコントローラはＴＶ画面に表示された録画予約情報の設定に利用してください」が表示される（ＳＴ１１０）。
【００５４】
また、映像記録再生装置１００が電源オフ状態である場合、或いは映像記録再生装置１００が電源オン状態である場合に、本体キー入力部１の予約キー１２が長押しされたり（ＳＴ１０１）（ＳＴ１０２、ＹＥＳ）（ＳＴ１０３、ＮＯ）、リモートコントローラ２の予約キー１２が押下されたりすると（ＳＴ１０１）（ＳＴ１０２、ＮＯ）、録画予約モードＭ２が起動し、本体表示部３は録画予約候補情報（第２の録画予約情報）を表示するとともに、モニター２００も録画予約候補情報（第２の録画予約情報）を表示する（ＳＴ１０７）。本体キー入力部１の設定キー１３等の押下又はリモートコントローラ２の設定キー２３等の押下により録画予約情報が設定されると（ＳＴ１０８）、本体表示部３の表示とモニター２００の表示とが連動し（ＳＴ１０９）、本体表示部３は設定された録画予約情報を表示し（ＳＴ１１１）、同様に、モニター２００も設定された録画予約情報を表示し（ＳＴ１１２）、記録処理モジュール５１は設定された録画予約情報に基づく録画を制御する（ＳＴ１１３）。
【００５５】
次に、図８に示すフローチャートを参照して、録画予約モードの遷移について説明する。
【００５６】
図８に示すように、本体キー入力部１の予約キー１２が短押しされると（ＳＴ２０１）（ＳＴ２０２、ＹＥＳ）（ＳＴ２０３、ＹＥＳ）、録画予約モードＭ１が起動し、本体表示部３は録画予約候補情報（第１の録画予約情報）を表示する（ＳＴ２０４）。録画予約モードＭ１の実行中に、本体キー入力部１の予約キー１２が短押しされると（ＳＴ２０５）（ＳＴ２０６、ＮＯ）（ＳＴ２０７、ＹＥＳ）、録画予約モードＭ１が終了する（ＳＴ２１２）。録画予約モードＭ１の実行中に、本体キー入力部１の予約キー１２が長押しされると（ＳＴ２０５）（ＳＴ２０６、ＮＯ）（ＳＴ２０７、ＮＯ）、録画予約モードＭ１が終了し録画予約モードＭ２が起動する（ＳＴ２０８）。録画予約モードＭ１の実行中に、リモートコントローラ２の予約キー２２が押下されても（ＳＴ２０５）（ＳＴ２０６、ＹＥＳ）、この押下は無効であり（ＳＴ２１３）、録画予約モードＭ１が継続する。
【００５７】
また、本体キー入力部１の予約キー１２が長押しされたり（ＳＴ２０１）（ＳＴ２０２、ＹＥＳ）（ＳＴ２０３、ＮＯ）、リモートコントローラ２の予約キー２２が押下されたりすると（ＳＴ２０１）（ＳＴ２０２、ＮＯ）、録画予約モードＭ２が起動し、本体表示部３が録画予約候補情報（第２の録画予約情報）を表示し、モニター２００も録画予約候補情報（第２の録画予約情報）を表示する（ＳＴ２０８）。録画予約モードＭ２の実行中に、本体キー入力部１の予約キー１２が短押しされたり（ＳＴ２０９）（ＳＴ２１０、ＮＯ）（ＳＴ２１１、ＹＥＳ）、リモートコントローラ２の予約キー２２が押下されたりすると（ＳＴ２０９）（ＳＴ２１０、ＹＥＳ）、録画予約モードＭ２が終了する（ＳＴ２１２）。録画予約モードＭ１の実行中に、本体キー入力部１の予約キー１２が長押しされても（ＳＴ２０９）（ＳＴ２１０、ＮＯ）（ＳＴ２１１、ＮＯ）、この押下は無効であり（ＳＴ２１４）、録画予約モードＭ２が継続する。
【００５８】
以上により、本実施形態の映像記録再生装置は、１度の予約キーの操作に対応して録画予約モードＭ１又は録画予約モードＭ２の何れか一方のモードを起動することができる。これにより、例えば、起動操作の後、さらにメニュー画面から録画予約方法を選択するような煩わしい操作が不要となる。さらに、本実施形態の映像記録再生装置は、録画予約モードＭ１の実行中に、１度の予約キーの操作で録画予約モードＭ１を終了し録画予約モードＭ２を起動することもできる。
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００６０】
【図１】本発明の一実施形態に係る映像記録再生装置の動作遷移図である。
【図２】本発明の一実施形態に係る映像記録再生装置の概略構成を示す図である。
【図３】本体キー入力部の予約キー、リモートコントローラの予約キー、及び各録画予約モードの関係を説明するための図である。
【図４】上記映像記録再生装置の筐体前面に設けられた本体キー入力部及び本体表示部の一例を示す図である。
【図５】映像記録再生装置から出力された録画予約情報の外部モニタによる表示例を示す図である。
【図６】上記映像記録再生装置に付属のリモートコントローラの一部を示す図である。
【図７】上記映像記録再生装置による各録画予約モードの実行を説明するためのフローチャートである。
【図８】上記映像記録再生装置による各録画予約モードの遷移を説明するためのフローチャートである。
【符号の説明】
【００６１】
１…本体キー入力部、２…リモートコントローラ、３…本体表示部、４…サブ制御モジュール、５…メイン制御モジュール、６…電源部、７…データ蓄積部、８…チューナー部、９…光ディスクドライブ、１０…ＨＤＤ（ハードディスクドライブ）
【図１】
2010165409.tif 000003
【図２】
2010165409.tif 000004
【図３】
2010165409.tif 000005
【図４】
2010165409.tif 000006
【図５】
2010165409.tif 000007
【図６】
2010165409.tif 000008
【図７】
2010165409.tif 000009
【図８】
2010165409.tif 000010